(57)【特許請求の範囲】
【請求項１】
壁面に形成される開口の全域を被覆しつつ，前記壁面に又は前記開口の外縁上に又はこれらの両方に，水密に取設される上部開口ポケット状の第１のフード体と、鉛直上方に開放される前記第１のフード体の通気用開口を空隙を有して被覆しつつ，前記壁面及び前記第１のフード体に一体に，又は，前記壁面に，水密に取設される下部開口ポケット状の第２のフード体と、前記第１のフード体の底部に設けられる少なくとも１つの水抜き構造とを有し、
前記第１のフード体は，前記水抜き構造以外に貫通孔を有しておらず、
前記第１のフード体上端は、前記開口の鉛直方向上端と同じ高さ又はそれよりも鉛直上方側に位置しており、
前記第２のフード体は，前記通気用開口から前記第１のフード体の側面の少なくとも一部をも空隙を有して被覆して重なり部を形成し、
前記水抜き構造は，前記底部に穿設される水抜き孔と、この水抜き孔に連設されるとともに，外部からの水の出入が可能なフロート収容部と、このフロート収容部内に収容されて，周囲の水位の上下に伴って鉛直方向に上下するフロートとを備え、
前記水抜き構造の周囲の水位が上昇した際に，この水位の上昇に伴って前記フロートを上昇させて前記水抜き孔を塞いで，前記第１のフード体内への水の流入を妨げることを特徴とする壁面開口用フード。
【請求項２】
前記重なり部は，前記第１のフード体と前記第２のフード体との前記空隙に補強板が介設されることを特徴とする請求項１記載の壁面開口用フード。
【請求項３】
前記フロート収容部と前記水抜き孔との接続部は，前記水抜き孔に向って縮径するテーパー状のガイド部を備えることを特徴とする請求項１又は請求項２に記載の壁面開口用フード。
【請求項４】
前記フロートは、弾性材からなることを特徴とする請求項１乃至請求項３のいずれか１項に記載の壁面開口用フード。
【発明の詳細な説明】
【技術分野】
【０００１】
本発明は、建物の壁面に形成される通気又は換気用の開口において、津波等による急激な水位上昇時に、開口からの水の流入を防止できる壁面開口用フードに関する。
【背景技術】
【０００２】
従来、原子力発電設備や火力発電設備等に関する建屋では、通気又は換気のために壁面に開口が形成される場合がある。
その一方で、自然災害や津波等が発生した場合に、原子力発電又は火力発電設備における建屋の開口まで水位が上昇する事態が想定されるが、この時、建屋における開口からの水の浸入を防止するだけで、設備に致命的な損害が生じるのを防止できる場合がある。
よって、建屋の壁面に形成される開口に、浸水防止用のフードを設けておくことが有効である。
本願発明と同一の解決すべき課題を有する先行技術は現時点では発見されていないが、関連する分野の先行技術としては以下に示すようなものが開示されている。
【０００３】
特許文献１には「内開き窓」という名称で、室外側に開閉自在な内開き窓に関する考案が開示されている。
特許文献１に開示される内開き窓は、窓枠に内開き障子を枢着してなる内開窓において、窓枠の室外側四周内縁に該窓枠に一体に垂壁を突設し、内開き障子の室外側面が前記垂壁の室内側面に適宜水密パッキンを介して当接すると共にこれにより室内側に開閉自在に上記内開き障子を窓枠に枢着し、而して内開き障子の閉鎖時に窓枠の下枠垂壁上面に覆い被さるような水切り枠片を内開き障子の下框に一体にまたは一体的に突設してなり、前記水抜き孔に防塵フィルタを、前記水抜き孔に室外方向にのみ開放する逆止弁をそれぞれ取り付けてなるものである。
上記構成の特許文献１に開示される考案によれば、不測に下枠内に侵入した雨水は防塵フィルタを通って排水室に滞留し、その水位が外気圧に打ち勝つまで高まると、逆止弁が押し開けられて排水される。これにより、排水室内の雨水が一種の水壁の役目をなし、外部からの風雨の浸入及びこれに伴う飛沫の発生を未然に防止できる。
【０００４】
特許文献２には「雨水の吹き込み防止可能な給排気装置」という名称で、ビル等の外壁面に開けられた換気用ダクトの開口部に取り付ける給排気装置に関する発明が開示されている。
特許文献２に開示される吹き込み防止可能な給排気装置は、建築物等の外壁の換気用ダクトの開口部に取付ける給排気装置において、一端が前記換気用ダクトへの取り付け端である筒体の他端の開口端面に、前記開口端面より広いフード支持板を設けるとともに、前記フード支持板をフードで覆い、前記フード支持板に前記開口端面と前記フードに覆われた内部空間とを連通させる内部開口部分を設けるとともに、前記フード支持板の前記開口端面の取付け周囲に外界と前記フードに覆われた内部空間とを連通させる外部開口部分を設け、且つ前記フードが空気抵抗の少ない略流線型形状の外面を有していることを特徴とするものである。
上記構成の特許文献２に開示される発明によれば、ビル外壁に沿って吹き上げてくる風は、進路変更をして風速を落としてから給排気装置内に入るため、従来のように風の勢いとともにダクト内に雨水等が侵入するのを効果的に防ぐことができる。また、排気時にも、上記のように勢いの強い風と衝突することがないため、排気の逆流を防ぐことができる。さらに、気流ガイドを設けることにより、給排気装置内に入る風の影響のない流路を選択して排気させることができ、排気の滞留を防ぎつつより排気効率を上げることができる。
【０００５】
特許文献３には「換気用ガラリフード」という名称で、壁面に設けた換気用ガラリから雨水や雪が室内に吹き込むのを防止する換気用ガラリフ−ドに関する発明が開示されている。
特許文献３に開示される換気用ガラリフ−ドは、壁面に設けた換気用ガラリから雨水や雪が室内に吹き込むのを防止する換気用ガラリフ−ドであって、ガラリの上端、下端および正面部分は前記雨水や雪のガラリへの吹き込みを防止する遮蔽板が設けられており、ガラリの両側面部分は下端部分の一部に遮蔽板が設けられており、その他の部分は開口部が設けられていることを特徴とするものである。
上記構成の特許文献３に開示される発明によれば、ガラリに雨水や雪が吹き込むのを確実に防止できる。
【０００６】
特許文献４には「船灯の防水・水抜き装置」という名称で、船舶のマスト、右舷、左舷及び船尾等に設置し、船舶の航行又は停泊時の安全のために他の船舶等に対し当船を認識させることに使用する船灯内への浸水がしにくくかつ内部に侵入した水を排出させるための船灯の防水・水抜き装置に関する発明が開示されている。
特許文献４に開示される船灯の防水・水抜き装置は、内部に光源が収容される中空部を有し、周囲に前記光源からの光を透過させる透光部を有する灯体の底壁に、上下に貫通開口した水抜き穴を備え、該水抜き穴位置の下側に弁室を備え、該弁室は、頂面に前記水抜き穴が開口されているとともに底面に大気に開放された排水口が開口され、前記弁室内に、スポンジ状の不透水性弾性材からなる弁体が収容され、該弁体は、前記弁室の高さより稍大きく形成されたものが圧縮状態で収容され、該弁体の圧縮代に相当する弾性力によって前記水抜き穴が閉鎖されていることを特徴とするものである。
上記構成の特許文献４に開示される発明によれば、過酷な条件下の航行によって浸水した場合であっても、灯体内は光源の点灯によって内部温度が上昇した際の灯体内空気の膨張によって前記弁体が押し開かれ、排気とともに内部の水を排出することができる。
【先行技術文献】
【特許文献】
【０００７】
【特許文献１】実開昭５９−１３５８６号公報
【特許文献２】特開平７−２３３９８７号公報
【特許文献３】特開平１１−２９４０２８号公報
【特許文献４】特開２０１１−６０４７３号公報
【発明の概要】
【発明が解決しようとする課題】
【０００８】
上述の特許文献１に開示される考案の場合、逆止弁は、水抜き孔に室外方向にのみ開放するように取り付けられているので、鉛直上方側から降込む雨水の浸入を効果的に防止できると考えられる。その一方で、津波発生時のように、鉛直下方から上方に向って水位上昇が起こった場合に、水位の上昇により逆止弁が開放するように回動する可能性もあり、排水孔からの水の浸入を確実に防止できない恐れがあった。
【０００９】
特許文献２，３に開示される発明の場合は、壁面に形成される通気孔（開口）への雨水の吹き込みによる浸入を好適に防止できると考えられるものの、構造上津波発生時のような水位上昇の際に、開口からの水の浸入を防止することはできなかった。
【００１０】
特許文献４に開示される発明の場合は、外部からの水圧の作用による水の浸入を好適に防止できるものの、一旦内部に水が浸入してしまった場合は、内部の圧力（気圧）を上昇させないと排水することができない。この場合、内部の気圧を上昇させるためには、開口を含む空間を閉鎖空間にする必要があった。
しかしながら、建築物の壁面に通気又は排気用として設けられる開口を含む空間を閉鎖空間とすることはそもそも不可能であり、特許文献４に開示される技術内容を本願発明に適用することはできなかった。
【００１１】
本発明はかかる従来の事情に対処してなされたものでありその目的は、フードの底にたまった水を水抜き孔からスムースに排出させるとともに、例えば、津波発生時等のように一時的な水位上昇が生じた場合に、フロートにより水抜き孔を塞いでフード内への水の浸入を確実に防止できる壁面開口用フードを提供することにある。
【課題を解決するための手段】
【００１２】
上記目的を達成するため請求項１記載の発明である壁面開口用フードは、
壁面に形成される開口の全域を被覆しつつ，壁面に又は開口の外縁上に又はこれらの両方に，水密に取設される上部開口ポケット状の第１のフード体と、鉛直上方に開放される第１のフード体の通気用開口を空隙を有して被覆しつつ，壁面及び第１のフード体に一体に，又は，壁面に，水密に取設される下部開口ポケット状の第２のフード体と、第１のフード体の底部に設けられる少なくとも１つの水抜き構造とを有し、第１のフード体は，水抜き構造以外に貫通孔を有しておらず、第１のフード体上端は、開口の鉛直方向上端と同じ高さ又はそれよりも鉛直上方側に位置しており、第２のフード体は，通気用開口から第１のフード体の側面の少なくとも一部をも空隙を有して被覆して重なり部を形成し、水抜き構造は，底部に穿設される水抜き孔と、この水抜き孔に連設されるとともに，外部からの水の出入が可能なフロート収容部と、このフロート収容部内に収容されて，周囲の水位の上下に伴って鉛直方向に上下するフロートとを備え、水抜き構造の周囲の水位が上昇した際に，この水位の上昇に伴ってフロートを上昇させて水抜き孔を塞いで，第１のフード体内への水の流入を妨げることを特徴とするものである。
上記構成の請求項１記載において、第１のフード体は、壁面に形成される開口への通気を確保しつつ、外部において水位が上昇した際に、第１のフード体の上端にまで水位が達するまでの間、開口への水の浸入を妨げるという作用を有する。また、第２のフード体は、鉛直上方に開放される第１のフード体の通気用開口を空隙を有して被覆して、この通気用開口から雨水が第１のフード体の内側に浸入するのを妨げるという作用を有する。さらに、第１のフード体の底部に設けられる水抜き構造は、第１のフード体内に、万一、雨水が浸入した際に、この雨水を外部に排出させるという作用を有する。
また、水抜き構造において、第１のフード体に穿設される水抜き孔は、第１のフード体内に侵入した雨水をフロート収容部内に導出するという作用を有する。さらに、フロート収容部は、第１のフード体から導出される雨水を、その中空部を通過させて外部に排出するとともに、フロートを鉛直上下方向に移動可能に保持するという作用を有する。また、フロートは、外部の水位が上昇した際に、上昇する水面により鉛直上方に運ばれて、水抜き孔を塞いで、外部の水が第１のフード体内に浸入するのを妨げるという作用を有する。
さらに、第２のフード体が、側面においても空隙を有しながら第１のフード体を被覆することで、暴風雨の際に第２のフード体の下端から第１のフード体の表面を這い上がるようにして雨水が浸入する際に、第１のフード体の通気用開口を超えてその内部に雨水が浸入するのを妨げるという作用を有する。
次に、請求項２に記載の発明である壁面開口用フードは、請求項１に記載の壁面開口用フードであって、重なり部は，第１のフード体と第２のフード体との空隙に補強板が介設されることを特徴とするものである。
上記構成の請求項２記載の発明は、請求項１記載の発明と同じ作用に加えて、補強板が剛性を高めるように作用する。
【００１３】
請求項３記載の発明である壁面開口用フードは、請求項１又は請求項２に記載の壁面開口用フードであって、フロート収容部と水抜き孔との接続部は，水抜き孔に向って縮径するテーパー状のガイド部を備えることを特徴とするものである。
上記構成の請求項３記載の発明は、請求項１又は請求項２に記載の発明と同じ作用に加えて、ガイド部は、フロート収容部と水抜き孔との接続部に設けられて、外部の水位が上昇した場合に、その水面の上昇とともにフロート収容部内を鉛直上方に移動するフロートを、確実に水抜き孔に導くという作用を有する。
【００１４】
請求項４記載の発明である壁面開口用フードは、請求項１乃至請求項３のいずれか１項に記載の壁面開口用フードであって、フロートは、弾性材からなることを特徴とするものである。
上記構成の請求項４記載の発明は、請求項１乃至請求項３のいずれか１項に記載の発明の作用に加えて、フロートが弾性材により構成されることで、外部の水位の上昇に伴ってフロートが上昇して水圧により水抜き孔に押し付けられた際に、フロートを弾性変形させて、水抜き孔を隙間なく塞ぐという作用を有する。
【発明の効果】
【００１６】
本発明の請求項１記載の発明によれば、第１のフード体を備えることで、津波等が発生して一時的な外部の水位上昇が起こった際に、この水位が第１のフード体の通気用開口を超えない限りにおいて、壁面に形成された開口への水の流入を防止することができる。
また、第２のフード体は、壁面に第１のフード体を常設しておく場合に、鉛直上方に開放される第１のフード体の通気用開口を被覆することができるので、第１のフード体の内部に雨水が浸入するのを防止できる。加えて、第２のフード体は、ひさしとしても作用するため、外部から雨水が直接、壁面に形成される開口に侵入するのを防止することができる。
さらに、請求項１記載の発明は、水抜き構造を備えることで、第１のフード体内に雨水が浸入してしまった場合でも、その雨水を確実に外部に排出させるとともに、万一、津波等が発生して壁面の外の水位の上昇が起こった場合に、フロートにより水抜き孔を確実に塞いで、第１のフード内に水が浸入するのを防止することができる。
また、第２のフード体によって、第１のフード体の通気用開口からの雨水の浸入を一層確実に防止できる。よって、壁面開口用フードによる開口への浸水防止効果を一層高めることができる。
さらに、請求項２に記載の発明によれば、第１のフード体や第２のフード体に高い水圧が作用した際の強度を維持することができる。
【００１７】
請求項３記載の発明は、請求項１又は請求項２記載の発明と同じ効果に加えて、ガイド部を備えることで、外部の水位上昇に伴ってフロートが、フロート収容部内を鉛直上方に移動する際に、フロートの平面形状における中心と、水抜き孔の中心とを一致させるようにフロートを導くことができる。
この結果、フロートにより水抜き孔が塞がれた場合に、隙間ができるリスクを大幅に低減できる。
よって、津波等が発生して外部の水位上昇が起こった場合に、水抜き孔をフロートにより確実に塞ぐことができるので、第１のフード体内への水の浸入がおこらず、これにより、第１のフード体内から壁面に形成される開口に水が浸入するのを確実に防止できる。
【００１８】
請求項４記載の発明によれば、請求項１乃至請求項３いずれか１項に記載に記載の発明と同じ効果に加えて、水抜き孔に鉛直下方から鉛直上方に向ってフロートを押付けるような力（水圧）が作用した場合に、フロートを弾性変形させて水抜き孔を隙間なく塞ぐことができる。
これにより、外部の水位上昇時に、外部の水が第１のフード体内に浸入するリスクを一層低減することができる。
【図面の簡単な説明】
【００２０】
【図１】本発明の実施例１に係る壁面開口用フードの外観を示す斜視図である。
【図２】図１中のＡ−Ａ線断面図である。
【図３】本発明の実施例１に係る壁面開口用フードの部分拡大断面図である。
【図４】本発明の実施例１に係る壁面開口用フードの部分拡大断面図である。
【図５】本発明の実施例２に係る壁面開口用フードの外観を示す斜視図である。
【発明を実施するための形態】
【００２１】
本発明の実施の形態に係る壁面開口用フードについて実施例１，２を参照しながら詳細に説明する。
【実施例１】
【００２２】
本発明の実施例１に係る壁面開口用フード１Ａについて図１，２を参照しながら詳細に説明する。
図１は本発明の実施例１に係る壁面開口用フードの外観を示す斜視図である。また、図２は図１中のＡ−Ａ線断面図である。
本発明の実施例１に係る壁面開口用フード１Ａは、例えば、原子力発電設備や力発電設備等における建屋において、通気又は換気のためにその壁面に形成される開口１３からの水の浸入を防止するためのものである。
【００２３】
実施例１に係る壁面開口用フード１Ａは、図１，２に示すように、壁面１２に形成される開口１３の全域を被覆しながら壁面１２に水密に取設される上部開口ポケット状の第１のフード体２と、この第１のフード体２において鉛直上方に開放される通気用開口２ｂを空隙を有して被覆しつつ、壁面１２及び第１のフード体２に一体に、水密に取設される、下部開口ポケット状の第２のフード体３と、第１のフード体２の底部２ａに設けられる少なくとも１つの水抜き構造４からなるものである。
なお、図２に示すように、壁面１２に形成される開口１３には、目隠しや外部からの害虫の侵入を防止する等の目的でガラリ１４が設けられている場合がある。さらに、特に図１，２には示さないが、壁面１２の開口１３には、通気又は排気用のダクトが接続されている場合もある。
加えて、既存の建築物の開口１３に、後付けで実施例１に係る壁面開口用フード１Ａを設ける場合も想定される。この場合、開口１３の下端に水切り１７が設けられている場合もある。この水切り１７が無くとも実施例１に係る壁面開口用フード１Ａの機能の発揮に何ら支障はないが、既に開口１３に水切り１７が設置されている場合は、わざわざ水切り１７を取外す必要はない。
また、実施例１に係る壁面開口用フード１Ａにおける水抜き構造４は、図２に示すように、第１のフード体２の底部２ａに穿設される、水抜き孔５に、例えば、筒体からなる、又は、メッシュ状の筒体からなるフロート収容部６が連結されるとともに、このフロート収容部６内に、水に浮く材質からなる、例えば、球形のフロート７が収容されてなるものである。
なお、この水抜き構造４は、第１のフード体２と一体に構成してもよいが、図２に示すように、例えば、ボルト１１等の固定具を用いて第１のフード体２の底部２ａに別体に設けても良い。この場合、第１のフード体２の底部２ａと、水抜き構造４との接続部分は、水密性を備えた構造にしておく必要がある。
【００２４】
なお、フロート収容部６の強度を補うために、フロート収容部６外側面と、第１のフード体２の底部２ａとをつなぐように、フィン状の補強材１０を複数個所に設けておいてもよい（図１，２を参照）。
さらに、実施例１に係る壁面開口用フード１Ａでは、フロート収容部６の排水用開口６ａに、例えば、メッシュ体からなる落下防止材８を設けて、フロート７の落下を防止してもよい。
【００２５】
ここで、図３を参照しながら実施例１に係る壁面開口用フード１Ａにおいて、第１のフード体２内に浸入した雨水が外部に排出される仕組みについて詳細に説明する。
図３は本発明の実施例１に係る壁面開口用フードの部分拡大断面図である。なお、図１又は図２に記載されたものと同一部分については同一符号を付し、その構成についての説明は省略する。
先の図２に示す第１のフード体２の通気用開口２ｂから浸入した雨水は、図３に示す第１のフード体２の底部２ａに到達した後、水抜き孔５から水抜き構造４のフロート収容部６内に導出される。
このとき、フロート収容部６内に収容されるフロート７は、重力の作用によりフロート収容部６の排水用開口６ａ側に配置されたままの状態になるため、雨水はフロート収容部６の中空部内を通過して排水用開口６ａから外部に排出される。また、フロート収容部６が落下防止材８を備える場合は、この落下防止材８を貫通して形成される孔又は空隙から雨水が外部に排出される。
【００２６】
なお、図２，３に示す実施例１に係る壁面開口用フード１Ａでは、その厚み方向に水の出入りが可能な落下防止材８を設けて、フロート収容部６の排水用開口６ａからフロート７の落下を防止する場合を例に挙げて説明しているが、落下防止材８を設けことなくフロート収容部６内にフロート７を収容保持させることもできる。
例えば、フロート収容部６が円筒体により構成される場合は、フロート収容部６の排水用開口６ａの直径をフロート７の直径よりも小さく設定しておくとともに、この排水用開口６ａ近傍でかつその周方向に、フロート収容部６の肉厚部を貫通するようなスリットを少なくとも１つ形成しておけばよい（図示せず）。
上述のような構造を備えることで、落下防止材８を備えることなしにフロート収容部６の内部にフロート７を収容保持できるとともに、排水用開口６ａがフロート７により完全に塞がってしまう場合でも、フロート収容部６の排水用開口６ａ近傍に形成される少なくとも１のスリットから雨水を確実に排出することができる。
なお、上述のような構造を備える場合は、排水用開口６ａ近傍に形成されるスリットがフロート７により完全に閉鎖されてしまうことがないよう、スリットの形成位置に留意する必要がある。
【００２７】
また、フロート収容部６の他の構成例としては、フロート収容部６自体を有底の容器体にするとともに、このようなフロート収容部６の少なくとも底部を、水の出入が自在なメッシュ材等により構成するという方法もある。
フロート収容部６を上述のような構造にした場合は、フロート収容部６内におけるフロート７の鉛直上下方向への移動可能にしつつ、フロート収容部６の底部から雨水を確実に排出することができる。
【００２８】
なお、図１乃至図３に示す実施例１に係る壁面開口用フード１Ａでは、第１のフード体２の底部２ａが水平である場合を例に挙げて説明しているが、第１のフード体２の底部２ａを水平にしておく必要は特になく、図示しないが、この底部２ａを水抜き孔５に向ってすり鉢状に落ち窪んだ形状にしてもよい。
この場合、第１のフード体２の通気用開口２ｂから浸入した雨水を効率よく底部２ａの水抜き孔５に集めることができるので、よりスムースに第１のフード体２から水抜き構造４に雨水を導出することができる。
この場合、第１のフード体２の底部２ａに雨水が滞留する時間を短くできるので、第１のフード体２が、例えば、厚手の金属板等により構成される場合に、その腐食を生じ難くすることができ、第１のフード体２の強度及び耐久性を長期間にわたり持続させることができる。
【００２９】
続いて、図４を参照しながら、津波等が発生して一時的に壁面１２の外の水位の上昇が起こった際に、実施例１に係る壁面開口用フード１Ａにより開口１３からの水の浸入が妨げられる仕組みについて説明する。
本発明の実施例１に係る壁面開口用フードの部分拡大断面図である。なお、図１乃至図３に記載されたものと同一部分については同一符号を付し、その構成についての説明は省略する。
図４に示すように、河川の氾濫や津波等の発生により、壁面１２の外の水位が、水抜き構造４における排水用開口６ａのレベルを超えて上昇すると（図４中の水位Ｆ１を参照）、排水用開口６ａからフロート収容部６の内部に水が浸入して、フロート７を、フロート収容部６の中空部内を鉛直上方側に向って押し上げる。
そして、図４中の符号Ｆ２で示すように、さらなる水位の上昇が起こると、第１のフード体２の水抜き孔５が、フロート７により塞がれて第１のフード体２内部への水の浸入が妨げられる（図４中の水位Ｆ３を参照）。この結果、先の、図２に示す第１のフード体２の通気用開口２ｂにまで水位が到達しない限り、第１のフード体２内への水の浸入は妨げられる。
このことは、壁面１２の外の水位が、開口１３のレベルを超えるような事態が生じた場合でも、この水位が第１のフード体２の通気用開口２ｂのレベルに到達するまでは、開口１３への水の流入を防止できることを意味している。
したがって、実施例１に係る壁面開口用フード１Ａによれば、自然災害等による一時的な水位の上昇が起こった場合に、建屋の壁面１２に形成される開口１３から建屋の内部への水の浸入を防止することができ、建屋内の設備の浸水被害を好適に防止できる。
【００３０】
他方、水位の上昇後に水位が下降した場合は、水面の低下とともにフロート７もフロート収容部６の排水用開口６ａ側に移動するので、第１のフード体２の通気用開口２ｂから浸入した水を、再び、水抜き構造４から排出させることが可能になる。
このように、実施例１に係る壁面開口用フード１Ａは、繰り返し使用することのできる耐用品である。
【００３１】
さらに、実施例１に係る壁面開口用フード１Ａの水抜き構造４は、以下に示すような方法により容易にその作動を点検することができる。
例えば、フロート収容部６全体を漏斗状のような容器体で、水密又は気密状態を保ちながらすっぽりと覆い、フロート収容部６の排水用開口６ａに、外部から強制的に高圧水又は圧縮空気送給して、その高圧水又は圧縮空気の流動が起こるか否かを調べることで、その水抜き構造４に不具合があるか否かを調べることができる。
すなわち、擬似的に外部の水位上昇が起こった状態を作り出して、フロート７による水抜き孔５の閉鎖効果が確実に発揮されるか否かを確かめるのである。
この場合、水抜き構造４において水又は空気の流動が生じなければ、不具合なしと判断できる一方、水抜き構造４において水又は空気の流動が起こる場合は、水抜き構造４の修理又は交換等の処置を行なう必要がある。
このように、実施例１に係る壁面開口用フード１Ａは、その保守点検作業を、壁面１２の外側から容易に行うことができるという効果を有している。
したがって、実施例１に係る壁面開口用フード１Ａを用いた場合、その性能を長期間にわたり好適に維持することが容易になるので、信頼性の高い防災設備を提供できるというメリットがある。
【００３２】
また、実施例１に係る壁面開口用フード１Ａの水抜き構造４に用いられるフロート７は、水よりも比重が軽く、水抜き孔５を確実に閉鎖できるものであれば、どのような形状及び材質でも良い。
特にフロート７を、ゴムやシリコン，合成樹脂等からなる弾性材により構成した場合は、水位上昇時の水圧によりフロート７を柔軟に弾性変形させて水抜き孔５を塞ぐことができる。したがって、フロート７を弾性材により構成することで、より浸水防止効果の高い水抜き構造４を提供することができる。
また、言うまでもないがフロート７の直径は、水抜き孔５の直径よりも大きく設定しておく必要がある。
【００３３】
さらに、フロート７を構成する材質として、特に、弾性材を採用する場合、経時変化に伴ってフロート７の劣化が生じて、水位の上昇時に水抜き孔５を十分に閉鎖できなくなったり、フロート７自体の破損などの不具合が生じることが予想される。
このような不具合に対処するには、フロート収容部６からフロート７を出し入れ可能に構成して、一定期間毎にフロート７を交換するとよい。
より具体的には、フロート収容部６が落下防止材８を備える場合は、フロート収容部６から落下防止材８を取外し可能にする構造を備えて、フロート７を交換可能にするとよい。あるいは、フロート収容部６が落下防止材８を備えない場合は、フロート収容部６を鉛直上下方向に分割可能に構成して、フロート７の交換を可能にするとよい。
いずれの場合も、フロート７の交換が可能になることで、実施例１に係る壁面開口用フード１Ａの信頼性を一層向上できる。
【００３４】
また、実施例１に係る壁面開口用フード１Ａは、図２乃至図４に示すように、第１のフード体２の底部２ａに形成される水抜き孔５と、フロート収容部６の接続部に、水抜き孔５に向って縮径するテーパー状のガイド部９を備えていてもよい。
この場合、図４に示すように、水位Ｆ１から水位Ｆ２への水位上昇が生じた際に、フロート７を水抜き孔５にスムースかつ確実に水抜き孔５に誘導することができる。しかも、水抜き孔５とフロート収容部６の接続部にガイド部９を備える場合は、フロート７の中心と水抜き孔５の中心とを一致させるようにフロート７を水抜き孔５に誘導することができるので、フロート７により水抜き孔５を塞ぐ際に、これらの間に隙間を生じ難くすることができるというメリットも有する。
この結果、実施例１に係る壁面開口用フード１Ａの水抜き構造４における浸水防止効果を一層向上できる。
【００３５】
ここで再び図１，２に戻って実施例１に係る壁面開口用フード１Ａについて説明を加える。
図１，２に示すように、実施例１に係る壁面開口用フード１Ａにおいては、第１のフード体２の通気用開口２ｂ近傍上に、空隙１８を設けながら第２のフード体３の下端３ａ近傍を重ねてなる、重なり部１５を備えた構造としてもよい。すなわち、第２のフード体３が第１のフード体３の側面の少なくとも一部を空隙を備えて重複して被覆するような構造となる。
この場合、暴風雨時の際に、第１のフード体２の通気用開口２ｂからの雨水の浸入を好適に防止することができる。
また、この場合、図２に示すように、建屋等の壁面１２の内側の空気は、開口１３を通じて第１のフード体２内を流通し（図中の符号Ｂで示す矢印を参照）、第１のフード体２内の空気は、通気用開口２ｂから第２のフード体３と第１のフード体２との空隙１８を通じて、外部との間を流通する（図中の符号Ｃ，Ｄで示す矢印を参照）ことになる。
なお、この場合、第１のフード体２の通気用開口２ｂ近傍と、第２のフード体３の下端３ａ近傍を補強するために、空隙１８に補強板１６を介設してもよい。
この場合、実施例１に係る壁面開口用フード１Ａの剛性が高まるので、津波発生時等において第１のフード体２や第２のフード体３に高い水圧が作用した際の強度を維持することができる。
【実施例２】
【００３６】
本発明の実施例２に係る壁面開口用フードについて図５を参照しながら詳細に説明する。
先の実施例１に係る壁面開口用フード１Ａでは、第１のフード体２と第２のフード体３とを一体に構成する場合を例に挙げて説明しているが、第１のフード体２と第２のフード体３とを別々に壁面１２に取設して本発明に係る壁面開口用フードを構成してもよい。
図５は本発明の実施例２に係る壁面開口用フードの外観を示す斜視図である。なお、図１乃至図４に記載されたものと同一部分については同一符号を付し、その構成についての説明は省略する。
図５に示すように、実施例２に係る壁面開口用フード１Ｂは、壁面１２に形成される開口１３を被覆しながら水密に設置される第１のフード体２とは別体に、この第１のフード体２の通気用開口２ｂを被覆する第２のフード体３を壁面１２に水密に取設してなるものである。
上記のような実施例２に係る壁面開口用フード１Ｂによる作用、効果は、上述の実施例１に係る壁面開口用フード１Ａと同じであるが、実施例２に係る壁面開口用フード１Ｂの場合は、第１のフード体２と第２のフード体３とを別々に製造して輸送できるというメリットがある。
この場合、実施例２に係る壁面開口用フード１Ｂの製造及び設置にかかるコストを廉価にできるという利点がある。
【００３７】
最後に実施例１，２に係る壁面開口用フード１Ａ，１Ｂに共通の構成要素について説明を加える。
本発明に係る壁面開口用フード１Ａ，１Ｂにおいて第１のフード体２、第２のフード体３、並びに、水抜き構造４、さらには、これらからなる壁面開口用フード１Ａ，１Ｂと壁面１２との接続部分は、津波や風水害等による一時的な水位上昇が生じた際にその水圧に対して十分な耐久性を有している必要がある。
したがって、第１のフード体２や第２のフード体３、及び、水抜き構造４を構成する各部材は、上述のような必要性を満たすために、十分な強度及び耐久性を備えた材質を用いることが好ましい。より具体的には、厚手の鋼板や、鉄筋コンクリート、あるいは、プレキャストコンクリートなどを用いるとよい。
また、本発明に係る壁面開口用フード１Ａ，１Ｂと、壁面１２との接続部分も、例えば、溶接したり、シールド構造を備える等の工夫を行なうことで堅牢にしておく必要がある。
【００３８】
なお、上述の実施例１，２に係る壁面開口用フード１Ａ，Ｂにおいては、第１のフード体２を壁面１２上に設置する場合を例に挙げて説明しているが、第１のフード体２を壁面１２上に設ける必要は必ずしもなく、第１のフード体２の縁部と、開口１３の外縁とを重ね合わせるように第１のフード体２を設置しても良い。
この場合、上述の実施例１，２に係る壁面開口用フード１Ａ，Ｂと同等の機能を発揮させつつ、壁面開口用フード１Ａ，Ｂの平面形状を必要最小限度にできるので、製造コストを節約できるというメリットがある。
また、開口１３の外縁が金属製からなる場合は、この部分への第１のフード体２の溶接等による取り付けが容易になるので、設置作業時の作業性を向上できるというメリットがある。
【００３９】
また、上述のように第１のフード体２を開口１３の縁部に設ける場合で、かつ、第１のフード体２の通気用開口２ｂを、開口１３の鉛直方向上端よりもさらに鉛直上方側に配設したい場合は、第１のフード体２の縁部を、開口１３の外縁と壁面１２上の両方に接続してもよい。
この場合、上述のような実施例１，２に係る壁面開口用フード１Ａ，Ｂの製造コスト削減効果に加えて、より高い位置まで水位が上昇した場合でも、実施例１，２に係る壁面開口用フード１Ａ，Ｂにより好適に開口１３への浸水を防止できるという効果が期待できる。
【産業上の利用可能性】
【００４０】
以上説明したように本発明は、建物の壁面に形成される通気又は換気用の開口において、津波等による急激な水位上昇の際に、この開口からの水の流入を防止できる壁面開口用フードに関するものであり、一般の建築物や特殊な建築物、さらには、防災設備等に関する分野において利用可能である。
【符号の説明】
【００４１】
１Ａ，１Ｂ…壁面開口用フード  ２…第１のフード体  ２ａ…底部  ２ｂ…通気用開口  ３…第２のフード体  ３ａ…下端  ４…水抜き構造  ５…水抜き孔  ６…フロート収容部  ６ａ…排水用開口  ７…フロート  ８…落下防止材  ９…ガイド部  １０…補強材  １１…ボルト  １２…壁面  １３…開口  １４…ガラリ  １５…重なり部  １６…補強板  １７…水切り  １８…空隙  Ｆ１〜Ｆ３…水位
【図１】
0005579809.tif 000002
【図２】
0005579809.tif 000003
【図３】
0005579809.tif 000004
【図４】
0005579809.tif 000005
【図５】
0005579809.tif 000006